(57)【特許請求の範囲】
【請求項１】
フォーカスレンズ群、ズームレンズ群、および絞りを有するテレビカメラのレンズ装置であって、
送り返し映像切替操作を入力する送り返し操作入力部と、
フォーカス調節操作を入力するフォーカス操作入力部と、
ズーム調節操作を入力するズーム操作入力部と、
前記フォーカス操作入力部に入力されたフォーカス調節操作に従ってフォーカスレンズ群を移動可能なフォーカス駆動部と、
前記ズーム操作入力部に入力されたズーム調節操作に従って前記ズームレンズ群を移動可能なズーム駆動部と、
前記絞りを駆動して前記絞りの開口径を可変させる絞り駆動部と、
前記送り返し映像切替操作の入力と前記フォーカス調節操作の入力が同時にあった場合、前記ズーム駆動部による前記ズームレンズ群のテレ側への駆動および／または前記絞り駆動部による前記絞りの開放を含む浅い被写界深度への変更処理を実行する制御部と、
前記レンズ装置を通過する光量を任意の値に制限する可変ＮＤ(NeutralDensity)フィルタと、
前記可変ＮＤフィルタの制限する光量を変化させる遮光駆動部と、
前記変更処理の実行により前記絞りが開放された場合、前記絞りの開放に応じた被写体像の光量の増分を検出する光量検出部と、
を備え、
前記制御部は、前記遮光駆動部を制御し、前記光量検出部の検出した光量の増分を相殺するよう前記可変ＮＤフィルタの制限する光量を変化させるレンズ装置。
【請求項２】
前記フォーカス駆動部は、前記変更処理の実行後、前記フォーカス調節操作の入力に応じて前記フォーカスレンズ群を移動する請求項１に記載のレンズ装置。
【請求項３】
前記制御部は、前記フォーカス調節操作の入力の完了から所定時間が経過した場合、前記ズーム駆動部による前記ズームレンズ群のテレ側への駆動および／または前記絞り駆動部による前記絞りの開放を終了し、元の状態に復帰させる請求項２に記載のレンズ装置。
【請求項４】
前記制御部は、前記ズームレンズ群および／または前記絞りを元の状態に復帰させることに伴うフォーカス位置のずれを、前記元の状態に対応した補正値で調節する請求項３に記載のレンズ装置。
【請求項５】
前記光量検出部は、
前記絞りの開口径の増大に応じた発光量を発光する発光部と、
前記発光部からの発光を、前記可変ＮＤフィルタを介して受光し、前記発光部からの発光量の増分を検出する光量増分検出部と、
を備える請求項１〜４のいずれか１項に記載のレンズ装置。
【請求項６】
前記変更処理の実行により前記絞りが開放された場合、前記絞りの開放の前後で、前記絞りの開口径に相当する絞り位置を検出する絞り位置検出部を備え、
前記光量検出部は、前記絞り位置検出部の検出した前記絞りの開放の前後における絞り位置の変化に応じた被写体像の光量の増分を検出する請求項１〜４のいずれか１項に記載のレンズ装置。
【請求項７】
前記フォーカス駆動部は、前記変更処理の実行後、前記フォーカス調節操作の入力に応じて前記フォーカスレンズ群を移動し、
前記制御部は、前記フォーカス調節操作の入力の完了から所定時間が経過した場合、前記可変ＮＤフィルタによる光量の制限を終了し、元の状態に復帰させる請求項１〜６のいずれか１項に記載のレンズ装置。
【請求項８】
請求項１〜７のいずれか１項に記載のレンズ装置と、
前記レンズ装置と接続し、前記レンズ装置を介して撮像面に結像された被写体像を映像信号に変換して出力するテレビカメラ本体と、
現在放映ないし記録中の映像信号である送り返し映像信号を入力する送り返し映像信号入力部と、
前記送り返し映像信号入力部の入力した送り返し映像信号または前記テレビカメラ本体の出力した映像信号のうちいずれか１つを選択的に表示可能なモニタと、
を備え、
前記モニタは、前記送り返し映像切替操作の入力と前記フォーカス調節操作の入力が同時にあった場合、前記テレビカメラ本体の出力した映像信号を表示し、前記送り返し映像切替操作の入力のみがあった場合、前記送り返し映像信号を表示するテレビカメラシステム。
【請求項９】
フォーカスレンズ群と、ズームレンズ群と、絞りとを有するテレビカメラのレンズ装置であって、送り返し映像切替操作を入力する送り返し操作入力部と、フォーカス調節操作を入力するフォーカス操作入力部と、ズーム調節操作を入力するズーム操作入力部と、前記フォーカス操作入力部に入力されたフォーカス調節操作に従ってフォーカスレンズ群を移動可能なフォーカス駆動部と、前記ズーム操作入力部に入力されたズーム調節操作に従って前記ズームレンズ群を移動可能なズーム駆動部と、前記絞りを駆動して前記絞りの開口径を可変させる絞り駆動部と、前記レンズ装置を通過する光量を任意の値に制限する可変ＮＤ(NeutralDensity)フィルタと、前記可変ＮＤフィルタの制限する光量を変化させる遮光駆動部と、を備えたレンズ装置が、
送り返し映像切替操作を入力するステップと、
フォーカス調節操作を入力するステップと、
前記送り返し映像切替操作の入力と前記フォーカス調節操作の入力が同時にあった場合、前記ズーム駆動部による前記ズームレンズ群のテレ側への駆動および／または前記絞り駆動部による前記絞りの開放を含む浅い被写界深度への変更処理を実行するステップと、
前記可変ＮＤフィルタの制限する光量を変化させるステップと、
前記変更処理の実行により前記絞りが開放された場合、前記絞りの開放に応じた被写体像の光量の増分を検出するステップと、
前記遮光駆動部を制御し、前記検出した光量の増分を相殺するよう前記可変ＮＤフィルタの制限する光量を変化させるステップと、
を実行するフォーカシングアシスト方法。
【請求項１０】
フォーカスレンズ群と、ズームレンズ群と、絞りとを有するテレビカメラのレンズ装置であって、送り返し映像切替操作を入力する送り返し操作入力部と、フォーカス調節操作を入力するフォーカス操作入力部と、ズーム調節操作を入力するズーム操作入力部と、前記フォーカス操作入力部に入力されたフォーカス調節操作に従ってフォーカスレンズ群を移動可能なフォーカス駆動部と、前記ズーム操作入力部に入力されたズーム調節操作に従って前記ズームレンズ群を移動可能なズーム駆動部と、前記絞りを駆動して前記絞りの開口径を可変させる絞り駆動部と、前記レンズ装置を通過する光量を任意の値に制限する可変ＮＤ(NeutralDensity)フィルタと、前記可変ＮＤフィルタの制限する光量を変化させる遮光駆動部と、を備えたレンズ装置と、前記レンズ装置と接続し、前記レンズ装置を介して撮像面に結像された被写体像を映像信号に変換して出力するテレビカメラ本体と、現在放映ないし記録中の映像信号である送り返し映像信号を入力する送り返し映像信号入力部と、前記送り返し映像信号入力部の入力した送り返し映像信号または前記テレビカメラ本体の出力した映像信号のうちいずれか１つを選択的に表示可能なモニタと、を備えたテレビカメラシステムが、
送り返し映像切替操作を入力するステップと、
フォーカス調節操作を入力するステップと、
前記送り返し映像切替操作の入力と前記フォーカス調節操作の入力が同時にあった場合、前記ズーム駆動部による前記ズームレンズ群のテレ側への駆動および／または前記絞り駆動部による前記絞りの開放を含む浅い被写界深度への変更処理を実行するステップと、
前記送り返し映像切替操作の入力と前記フォーカス調節操作の入力が同時にあった場合、前記テレビカメラ本体の出力した映像信号を前記モニタに表示し、前記送り返し映像切替操作の入力のみがあった場合、前記送り返し映像信号を前記モニタに表示するステップと、
前記可変ＮＤフィルタの制限する光量を変化させるステップと、
前記変更処理の実行により前記絞りが開放された場合、前記絞りの開放に応じた被写体像の光量の増分を検出するステップと、
前記遮光駆動部を制御し、前記検出した光量の増分を相殺するよう前記可変ＮＤフィルタの制限する光量を変化させるステップと、
を実行するフォーカシングアシスト方法。
【発明の詳細な説明】
【技術分野】
【０００１】
本発明はレンズ装置、テレビカメラシステムおよびフォーカシングアシスト方法に係り、特に、テレビカメラのフォーカスデマンドへのフォーカス指令に連動して被写界深度を浅くする技術に関する。
【背景技術】
【０００２】
特許文献１によると、カメラとＶＴＲ等を接続しないとき、ＶＴＲＳＷの操作で送り返し映像出力の切り替えを行う。
【０００３】
特許文献２によると、従来監視カメラで焦点を調整する場合、周りの明るさに応じ、光量を減少させるためのＮＤフィルタ(Neutral Density Filter)をレンズ前に入れることにより、強制的に絞りを開放する。スイッチが調整モード側に切り替えられることにより、自動絞りレンズの絞りが強制的に開放となり、被写界深度が浅い状態で焦点を調整可能な状態になる。
【０００４】
特許文献３によると、入射する光量に応じて、ＮＤフィルタの光路中へ自動的に挿抜し、アイリス２の開度を所定量以上に保つことにより、光の回折による解像度の低下を防止する。
【０００５】
特許文献４によると、焦点深度の深いワイド側の領域での撮影時には、アイリス連動モード選択スイッチをＯＮ状態にしておくことにより、マスターレンズ群、アイリスおよびＮＤフィルタが連動して駆動する。
【０００６】
特許文献５によると、被写界深度を可変するためにズームレンズを移動する。
【０００７】
特許文献６によると、受光センサーへの入射光量が所定値より大きいときは可変ＮＤフィルタを透過率の低い方へ回転させ、反対に所定値より小さいときは可変ＮＤフィルタを透過率の高い方へ回転させる。
【０００８】
特許文献７によると、初期設定スイッチがＯＮされると、レンズの絞り（アイリス）を開放にし、ズームをテレ端にしてフォーカスレンズを移動させてピント調整する。初期設定スイッチは、レンズ本体に設けてもよいし、テレビカメラ側に設けてもよい。また、初期設定スイッチは、遠隔操作のためのコントローラに設けてもよいし、フォーカスコントローラやズーム／エクステンダーコントローラ等の他のコントローラに初期設定スイッチを付加する態様も可能である。さらに、初期設定スイッチは、カメラマンが操作する操作手段として用意する態様以外に、レンズ装置の電源スイッチと連動させた構成とし、レンズ装置の電源投入時に初期設定スイッチが自動的にＯＮとなるように構成することも可能である。
【０００９】
特許文献８はＮｅｕｔｒａｌ Ｄｅｎｓｉｔｙ（ＮＤ）フィルタの一例を示す。
【００１０】
その他、本願に関係する技術として、特許文献９および１０がある。
【先行技術文献】
【特許文献】
【００１１】
【特許文献１】特開平11-168649号公報
【特許文献２】特開2003-234952号公報
【特許文献３】特開平10-210487号公報
【特許文献４】特開2006-195340号公報
【特許文献５】特開2004-170612号公報
【特許文献６】特開平9-145311号公報
【特許文献７】特開平11-127376号公報
【特許文献８】特開2004-333554号公報
【特許文献９】特開2004-280048号公報
【特許文献１０】特許3941078号公報
【発明の概要】
【発明が解決しようとする課題】
【００１２】
通常、テレビカメラでは、録画やオンエア直前にフォーカシングを行い、ベストピントの状態の画像を使用する。この場合、ズームをテレに移動してフォーカシングを行い、必要とする画角に戻すことでピンボケを防いでいる。しかしながら、このズーミング操作に手間を要するため、時間のないときは、該操作は難しい。
【００１３】
特許文献７のように、初期設定スイッチのオンに応じてレンズの絞り（アイリス）を開放にし、ズームをテレ端にすることも考えられるが、初期設定スイッチの場所によっては、素早い操作が難しい。
【００１４】
さらに、特許文献７のように、初期設定スイッチを他のコントローラに初期設定スイッチを付加したり電源スイッチなどのスイッチと共用したりした場合、それらのスイッチの誤操作により意図しない状態になり、撮影に支障をきたすことがある。
【００１５】
本発明はこのような事情に鑑みてなされたもので、誤操作があっても撮影に支障をきたすことなく、フォーカシングにおける絞り開放・ズーム移動を素早く行える装置および方法を提供することを目的とする。
【課題を解決するための手段】
【００１６】
本発明は、フォーカスレンズ群、ズームレンズ群、および絞りを有するテレビカメラのレンズ装置であって、送り返し映像切替操作を入力する送り返し操作入力部と、フォーカス調節操作を入力するフォーカス操作入力部と、ズーム調節操作を入力するズーム操作入力部と、フォーカス操作入力部に入力されたフォーカス調節操作に従ってフォーカスレンズ群を移動可能なフォーカス駆動部と、ズーム操作入力部に入力されたズーム調節操作に従ってズームレンズ群を移動可能なズーム駆動部と、絞りを駆動して絞りの開口径を可変させる絞り駆動部と、送り返し映像切替操作の入力とフォーカス調節操作の入力が同時にあった場合、ズーム駆動部によるズームレンズ群のテレ側への駆動および／または絞り駆動部による絞りの開放を含む浅い被写界深度への変更処理を実行する制御部と、を備えたレンズ装置を提供する。
【００１７】
フォーカス駆動部は、変更処理の実行後、フォーカス調節操作の入力に応じてフォーカスレンズ群を移動する。
【００１８】
制御部は、フォーカス調節操作の入力の完了から所定時間が経過した場合、ズーム駆動部によるズームレンズ群のテレ側への駆動および／または絞り駆動部による絞りの開放を終了し、元の状態に復帰させる。
【００１９】
制御部は、ズームレンズ群および／または絞りを元の状態に復帰させることに伴うフォーカス位置のずれを、元の状態に対応した補正値で調節する。
【００２０】
レンズ装置を通過する光量を任意の値に制限する遮光部材と、遮光部材の制限する光量を変化させる遮光駆動部と、変更処理の実行により絞りが開放された場合、絞りの開放に応じた被写体像の光量の増分を検出する光量検出部と、を備え、制御部は、遮光駆動部を制御し、光量検出部の検出した光量の増分を相殺するよう遮光部材の制限する光量を変化させる。
【００２１】
光量検出部は、絞りの開口径の増大に応じた発光量を発光する発光部と、発光部からの発光を、遮光部材を介して受光し、発光部からの発光量の増分を検出する光量増分検出部と、を備える。
【００２２】
好ましくは、変更処理の実行により絞りが開放された場合、絞りの開放の前後で、絞りの開口径に相当する絞り位置を検出する絞り位置検出部を備え、光量検出部は、絞り位置検出部の検出した絞りの開放の前後における絞り位置の変化に応じた被写体像の光量の増分を検出する。
【００２３】
遮光部材は可変ＮＤ(Neutral Density)フィルタを含む。
【００２４】
フォーカス駆動部は、変更処理の実行後、フォーカス調節操作の入力に応じてフォーカスレンズ群を移動し、制御部は、フォーカス調節操作の入力の完了から所定時間が経過した場合、遮光部材による光量の制限を終了し、元の状態に復帰させる。
【００２５】
本発明は、上記のレンズ装置と、レンズ装置と接続し、レンズ装置を介して撮像面に結像された被写体像を映像信号に変換して出力するテレビカメラ本体と、現在放映ないし記録中の映像信号である送り返し映像信号を入力する送り返し映像信号入力部と、送り返し映像信号入力部の入力した送り返し映像信号またはテレビカメラ本体の出力した映像信号のうちいずれか１つを選択的に表示可能なモニタと、備え、モニタは、送り返し映像切替操作の入力とフォーカス調節操作の入力が同時にあった場合、テレビカメラ本体の出力した映像信号を表示し、送り返し映像切替操作の入力のみがあった場合、送り返し映像信号を表示するテレビカメラシステム。
【００２６】
本発明は、フォーカスレンズ群と、ズームレンズ群と、絞りと、送り返し映像切替操作を入力する送り返し操作入力部と、フォーカス調節操作を入力するフォーカス操作入力部と、ズーム調節操作を入力するズーム操作入力部と、フォーカス操作入力部に入力されたフォーカス調節操作に従ってフォーカスレンズ群を移動可能なフォーカス駆動部と、ズーム操作入力部に入力されたズーム調節操作に従ってズームレンズ群を移動可能なズーム駆動部と、絞りを駆動して絞りの開口径を可変させる絞り駆動部と、を備えたレンズ装置が、送り返し映像切替操作を入力するステップと、フォーカス調節操作を入力するステップと、送り返し映像切替操作の入力とフォーカス調節操作の入力が同時にあった場合、ズーム駆動部によるズームレンズ群のテレ側への駆動および／または絞り駆動部による絞りの開放を含む浅い被写界深度への変更処理を実行するステップと、を実行するフォーカシングアシスト方法を提供する。
【００２７】
本発明は、フォーカスレンズ群と、ズームレンズ群と、絞りと、送り返し映像切替操作を入力する送り返し操作入力部と、フォーカス調節操作を入力するフォーカス操作入力部と、ズーム調節操作を入力するズーム操作入力部と、フォーカス操作入力部に入力されたフォーカス調節操作に従ってフォーカスレンズ群を移動可能なフォーカス駆動部と、ズーム操作入力部に入力されたズーム調節操作に従ってズームレンズ群を移動可能なズーム駆動部と、絞りを駆動して絞りの開口径を可変させる絞り駆動部と、を備えたレンズ装置と、レンズ装置と接続し、レンズ装置を介して撮像面に結像された被写体像を映像信号に変換して出力するテレビカメラ本体と、現在放映ないし記録中の映像信号である送り返し映像信号を入力する送り返し映像信号入力部と、送り返し映像信号入力部の入力した送り返し映像信号またはテレビカメラ本体の出力した映像信号のうちいずれか１つを選択的に表示可能なモニタと、を備えたテレビカメラシステムが、送り返し映像切替操作を入力するステップと、フォーカス調節操作を入力するステップと、送り返し映像切替操作の入力とフォーカス調節操作の入力が同時にあった場合、ズーム駆動部によるズームレンズ群のテレ側への駆動および／または絞り駆動部による絞りの開放を含む浅い被写界深度への変更処理を実行するステップと、送り返し映像切替操作の入力とフォーカス調節操作の入力が同時にあった場合、テレビカメラ本体の出力した映像信号をモニタに表示し、送り返し映像切替操作の入力のみがあった場合、送り返し映像信号をモニタに表示するステップと、を実行するフォーカシングアシスト方法を提供する。
【発明の効果】
【００２８】
この発明によると、送り返し映像切替操作の入力とフォーカス調節操作の入力が同時にあった場合、ズーム駆動部によるズームレンズ群のテレ側への駆動および／または絞り駆動部による絞りの開放を含む浅い被写界深度への変更処理を実行する。撮影者は、送り返し映像切替操作の入力とフォーカス調節操作の入力を同時に行うことで、被写界深度を浅くし、正確かつ素早くフォーカシングできる。
【００２９】
また、この発明によると、送り返し映像切替操作の入力とフォーカス調節操作の入力が同時にあった場合、テレビカメラ本体の出力した映像信号をモニタに表示し、送り返し映像切替操作の入力のみがあった場合、送り返し映像信号をモニタに表示する。撮影者は、送り返し映像切替操作の入力とフォーカス調節操作の入力が同時に行うことで、被写界深度を浅くした上、モニタを見ながら正確かつ素早くフォーカシングできる。
【図面の簡単な説明】
【００３０】
【図１】テレビカメラシステムの一実施形態を示した外観図
【図２】第２実施形態に係るレンズ装置およびテレビカメラシステムのブロック図
【図３】フォーカシングアシスト処理のフローチャート
【図４】第２実施形態に係るレンズ装置のブロック図
【発明を実施するための形態】
【００３１】
＜第１実施形態＞
図１は、本発明が適用されるテレビカメラシステムの一実施形態を示した外観図である。同図に示すようにテレビカメラ１０は、主に放送用または業務用に使用されるテレビカメラであり、レンズ装置１２とカメラ本体１４とで構成され、図示しないペデスタルドリー上に設置された雲台に支持されている。
【００３２】
雲台には、左右２本のパン棒が延設されており、右側のパン棒のグリップ部には、フォーカスデマンド（フォーカスコントローラ）２６が設置され、左側のパン棒のグリップ部にはズームデマンド（ズームコントローラ）２０が設置されている。撮影時、カメラマンは、右手でフォーカスデマンド２６を把持し、左手でズームデマンド２０を把持している。
【００３３】
レンズ装置１２には、周辺機器または外部機器との接続をするために、ＲＳ−２３２Ｃ（その他の通信形式でもよい）インターフェース１５が配置される。またレンズ装置１２には、フォーカスデマンド２６やズームデマンド２０と接続をするためのＲＳ−４８５インターフェース１６が配置される。
【００３４】
ＲＳ−２３２Ｃインターフェース１５には、現在記録中または放映中の送り返し映像信号が、他のカメラ本体やテレビスタジオマスターシステムから入力される。
【００３５】
フォーカスデマンド２６には、回動可能なフォーカスノブ３０が設けられており、マニュアルフォーカス（ＭＦ）によりフォーカス制御を行う際に、このフォーカスノブ３０を回動操作すると、その回動位置に応じたフォーカス位置を目標位置としてフォーカスレンズ群６４ａ（後述）の移動を指令するフォーカス制御信号がフォーカスデマンド２６からレンズ装置１２に与えられる。これにより、レンズ装置１２のフォーカスレンズがフォーカス制御信号によって指令された目標位置に移動する。
【００３６】
ズームデマンド２０には、回動可能なサムリング３４が設けられており、そのサムリング３４を左右方向に回動操作すると、回動位置に応じたズーム速度を目標速度としてズームレンズ群６４ｂ（後述）の移動を指令するズーム制御信号がズームデマンド２０からレンズ装置１２に与えられる。これにより、レンズ装置１２のズームレンズ群６４ｂがズーム制御信号によって指令された目標速度で移動する。
【００３７】
また、本図では省略するが、フォーカスデマンド２６には、オートフォーカス（ＡＦ）に関する各種操作部材が設けられるとともに、ＡＦによりピントを合わせる対象の被写体範囲（ＡＦの対象範囲）を示すＡＦ枠の制御（位置等の変更）を行うためのＡＦ枠制御装置（ＡＦ枠自動追尾装置）が組み込まれ、そのＡＦ枠制御装置の各種操作部材もフォーカスデマンド２６に設けられている。
【００３８】
カメラ本体１４の上には、表示装置であるビューファインダー３６が設置されている。このビューファインダー３６には、本テレビカメラ１０で撮影されている被写体の映像が表示されるため、カメラマンはその映像を見ながらフォーカスデマンド２６やズームデマンド２０を操作することによって所望の構図で被写体を撮影することができるようになっている。尚、以下において、撮影映像または撮影画像と称した場合には、テレビカメラ１０で現在撮影されている映像または画像を示すものとする。
【００３９】
また、ビューファインダー３６に表示される撮影映像には、現在ＡＦ枠が設定されている位置、大きさ、形状（縦横比）を示すＡＦ枠の画像が重畳されて表示されるようになっており、ＡＦによりフォーカス制御を行う場合には撮影映像内のどの範囲の被写体にピントが合わせられるかを知ることができるようになっている。尚、ＭＦとＡＦのフォーカス制御は、フォーカスデマンド２６に設けられたフォーカスモードスイッチ等で切り換えられるようになっている。
【００４０】
ズームデマンド２０には、送り返しスイッチ（ＲＥＴ−ＳＷ）３５が設けられている。ＲＥＴ−ＳＷ３５は、他のカメラ本体あるいはテレビスタジオマスターシステムから、ＲＳ−２３２Ｃインターフェース１５を経由して、カメラ本体１４に送り返し映像信号が送り返されるようにするためのスイッチである。ＲＥＴ−ＳＷ３５のオン（送り返し信号要求の発生）に応じ、オンエア信号は、カメラ本体１４に送られ、ビューファインダー３６に表示される。ＲＥＴ−ＳＷ３５がオフのときは、映像信号処理回路７１から出力された映像が、ビューファインダー３６に表示される。ＲＥＴ−ＳＷ３５は、ロック式（一旦押下すると再び押下するまでオン状態が継続）でもノンロック式（押下が継続する限りでオン状態が継続）でもよい。
【００４１】
図２はテレビカメラ１０のブロック図である。
【００４２】
レンズ装置１２は、カメラ本体１４のレンズマウントに装着される撮影レンズ６４を備えており、その撮影レンズ６４により、被写体がカメラ本体１４の撮像素子７０の撮像面に結像されるようになっている。撮影レンズ６４には、その構成要素としてフォーカスレンズ群６４ａ、ズームレンズ群６４ｂ、可変ＮＤ（Ｎｅｕｔｒａｌ Ｄｅｎｓｉｔｙ）フィルタ６４ｃ、絞り６４ｄ、マスターレンズ群６４ｅなどの撮影条件を調整するための可動部が設けられており、それらの可動部は、モータ（サーボ機構）などの駆動系によって電動駆動されるようになっている。例えば、フォーカスレンズ群６４ａやズームレンズ群６４ｂは光軸Ｌに沿った方向に移動し、フォーカスレンズ群６４ａが移動することによってフォーカス（被写体距離）調整が行われ、またズームレンズ群６４ｂが移動することによって焦点距離（ズーム倍率）調整が行われる。
【００４３】
可変ＮＤフィルタ６４ｃは、連続的あるいは段階的な透過率を複数有しており、印加する電圧を変化させるか、あるいは機械的に回転させることで、それらの中から任意の透過率を選択し、撮像素子７０へ結像する被写体像の受光量を調節する。
【００４４】
尚、ＡＦに関するシステムにおいては、少なくともフォーカスレンズ群６４ａが電動で駆動できればよく、その他の可動部は手動でのみ駆動可能であってもよい。
【００４５】
また、レンズ装置１２には、レンズＣＰＵ６５やＡＦユニット６６などが搭載されている。レンズＣＰＵはレンズ装置１２全体を統括制御するものである。また、ＡＦユニット６６は、ＡＦによるフォーカス制御（自動ピント調整）を行うために必要な情報を取得するための処理部であり、ＡＦ処理部２７やＡＦ用撮像回路等（図示を省略）から構成されている。
【００４６】
また、レンズ装置１２には、後述のフォーカシングアシスト処理による絞り６４ｄの駆動に伴う撮像素子７０の受光量の増大を抑えるため、可変ＮＤフィルタ６４ｃの濃度（減光率）調節により該受光量を一定に保つための光量調整部５０が備えられている。
【００４７】
可変ＮＤフィルタ６４ｃの側部には、絞り６４ｄの前段および後段の光路から分岐した被写体光を遮る遮光板６０ａ・遮光板６０ｂがそれぞれ設けられている。ＬＥＤ６１と受光素子６２は、遮光板６０ａ・遮光板６０ｂにより、撮影レンズ６４の光路から隔てられて設置されている。そのため、受光素子６２は、その光路から分岐した被写体光を受光せずＬＥＤ６１の光のみを受光する。ＬＥＤ６１の発光量は定常である。
【００４８】
レンズＣＰＵ６５は、絞り６４ｄの開口径の増大と連動し、それに応じて増大する露光量の増分ΔＥＶを相殺する可変ＮＤフィルタ６４ｃの目標濃度（減光率）を決定する。レンズＣＰＵ６５は、該決定された濃度に対応するデジタル信号をＤ／Ａ変換器６３に入力する。このデジタル信号はＤ／Ａ変換器６３で電圧信号に変換され、可変ＮＤフィルタ６４ｃの駆動系に印加される。これにより可変ＮＤフィルタ６４ｃの濃度が調節される。
【００４９】
受光素子６２がＬＥＤ６１から受光した光の受光量に対応する電圧信号は、Ａ／Ｄ変換器６９によりデジタル信号化されてレンズＣＰＵ６５に入力される。レンズＣＰＵ６５は、該受光量から、現在の可変ＮＤフィルタ６４ｃの濃度（減光率）を算出する。これは、該受光量をＬＥＤ６１の定常発光量で除算することで算出できる。レンズＣＰＵ６５は、現在の可変ＮＤフィルタ６４ｃの濃度と目標濃度とを比較し、それらの差異が解消するよう目標濃度（減光率）を再び決定し、該決定された濃度に対応する制御信号をＤ／Ａ変換器６３を経由して可変ＮＤフィルタ６４ｃの駆動系に印加する。この駆動系が、この制御信号に対応した透過率をさらに選択することで、可変ＮＤフィルタ６４ｃの濃度が調節され、撮像素子７０の受光量が、絞り６４ｄの開放の前後で保たれるように調節される。
【００５０】
カメラ本体１４にはレンズ装置１２とケーブルで接続するためのインターフェース（Ｉ／Ｆ）５２が設けられており、ＳＣＩ６８・７３を通じてレンズＣＰＵ６５と本体ＣＰＵ７２の間のシリアル通信により各種信号のやり取りが行えるようになっている。
【００５１】
これにより、カメラ本体１４の本体ＣＰＵ７２から送出された各種制御信号がレンズＣＰＵ６５に与えられ、その制御信号に従った処理がレンズＣＰＵで実行されるようになっている。例えば、ＡＦによるフォーカス制御（ＡＦモード）の指示が与えられた場合には、不図示のＡＦユニットから得られる焦点評価値に基づいてＡＦによるフォーカス制御が行われ、ＭＦによるフォーカス制御（ＭＦモード）の指示が与えられた場合には、不図示のフォーカスノブの操作に基づいて与えられるフォーカス位置指令信号に従ってＭＦによるフォーカス制御が行われるようになっている。
【００５２】
映像信号処理回路７１は、撮像素子７０から出力された映像信号をデジタル処理し、ＨＤＴＶ信号に変換して、ビューファインダー３６に出力する。
【００５３】
ＳＣＩ６８・７３は、レンズ装置１２とカメラ本体１４との間でシリアル通信を行うためのインターフェース回路である。この通信では、各種指令、上記ＡＦ枠情報等が送受信される。
【００５４】
図３は、テレビカメラシステムが実行するフォーカシングアシスト処理のフローチャートを示す。この処理は、映像の記録やオンエアの前に行われる。
【００５５】
Ｓ１では、図示しない操作手段への操作に従って出力されるコントロール信号に基づいて、フォーカスレンズ群６４ａ以外の可動部、例えばズームレンズ群６４ｂを、操作者の所定の操作に従って電動駆動する。
【００５６】
Ｓ２では、レンズＣＰＵ６５は、フォーカスデマンド２６のフォーカスノブ３０へのマニュアルフォーカス（ＭＦ）操作があったか否かを判断する。Ｙｅｓの場合はＳ３、Ｎｏの場合はＳ１０に進む。
【００５７】
Ｓ３では、レンズＣＰＵ６５は、ＭＦ操作に応じ、フォーカスレンズ群６４ａを駆動し、ピント合わせを開始する。
【００５８】
Ｓ４では、レンズＣＰＵ６５は、ＭＦ操作があったことに加えてＲＥＴ−ＳＷ３５がオンになったか否か（フォーカシングアシスト要求があったか否か）を判断する。Ｙｅｓの場合はＳ５、Ｎｏの場合はＳ１１に進む。
【００５９】
フォーカシングアシスト要求は、フォーカス操作とＲＥＴ−ＳＷ３５のオンがどちらも行われることを条件として発生し、Ｓ５に進む。Ｓ５では、レンズＣＰＵ６５は、ズームレンズ群６４ｂがテレ端に移動するよう駆動系に指示する。
【００６０】
Ｓ６では、レンズＣＰＵ６５は、絞り６４ｄが開放になるよう駆動系に指示する。Ｓ５およびＳ６は、マニュアルフォーカシングを素早く高精度にするために、被写界深度を浅くする処理である。そのためには、Ｓ５およびＳ６のうち少なくとも一方が実行されれば足りるが、好ましくは、図示の通り双方が実行される。
【００６１】
Ｓ７では、レンズＣＰＵ６５は、光量調整部５０を介し、絞り６４ｄの開放の前後で光量が変化しないよう、可変ＮＤフィルタ６４ｃの濃度を選択し、受光量を調節する。
【００６２】
Ｓ８では、レンズＣＰＵ６５は、図示しないＲＡＭに記憶される、アシストフラグをオンに設定する。さらにレンズＣＰＵ６５は、アシストフラグのオンに応じ、本体ＣＰＵ７２は、ビューファインダー３６へ出力する映像信号を、Ｉ／Ｆ５２経由の送り返し映像信号から、映像信号処理回路７１経由の映像信号に切り替える。ただし、アシストフラグのオンの際に、既にビューファインダー３６へ映像信号処理回路７１経由の映像信号が出力されている場合、この切り替えは不要であり、映像信号処理回路７１経由の映像信号の出力を継続する。
【００６３】
Ｓ９では、レンズＣＰＵ６５は、不図示のタイマーによる計時を開始する。その後、Ｓ１に戻る。
【００６４】
Ｓ１０では、Ｓ９による計時の開始から所定の時間、例えば０．３秒が経過したか否かを判断する。Ｙｅｓの場合はＳ１１に進み、Ｎｏの場合はＳ９に戻る。
【００６５】
Ｓ１１では、レンズＣＰＵ６５は、アシストフラグがオンであるか否かを判断する。Ｙｅｓの場合はＳ１２に進み、Ｎｏの場合はＳ９に戻る。
【００６６】
Ｓ１２では、レンズＣＰＵ６５は、ズームレンズ群６４ｂがＲＥＴ−ＳＷ３５押下前の位置に戻るよう駆動系に指示する。この指示に応じ、ズームレンズ群６４ｂが駆動され、画角が元に戻る。
【００６７】
ズームレンズ群６４ｂの位置の復帰に伴うフォーカス位置のずれは、自動的に補正されてもよい。例えば、ズームレンズ群６４ｂの元の位置からテレ端までの移動量に対応したフォーカスレンズ群６４ａの位置補正量を予めレンズ装置１２のＥＥＰＲＯＭなどに記憶しておき、レンズＣＰＵ６５は、復帰後のズームレンズ群６４ｂの元の位置に対応した位置補正量だけフォーカスレンズ群６４ａを駆動することで、フォーカス位置のずれを補正する。
【００６８】
Ｓ１３では、レンズＣＰＵ６５は、絞り６４ｄがＲＥＴ−ＳＷ３５押下前の開口径に戻るよう駆動系に指示する。
【００６９】
この絞り６４ｄの開口径の復帰に伴うフォーカス位置のずれは、自動的に補正されてもよい。例えば、絞り６４ｄの元の開口径と開放時の開口径の差に対応したフォーカスレンズ群６４ａの位置補正量を予めレンズ装置１２のＥＥＰＲＯＭなどに記憶しておき、レンズＣＰＵ６５は、復帰後の絞り６４ｄの元の開口径に対応した位置補正量だけフォーカスレンズ群６４ａを駆動することで、フォーカス位置のずれを補正する。
【００７０】
Ｓ１４では、レンズＣＰＵ６５は、可変ＮＤフィルタ６４ｃがＲＥＴ−ＳＷ３５押下前の濃度に戻るよう駆動系に指示する。
【００７１】
Ｓ１５では、レンズＣＰＵ６５は、アシストフラグをオフにする。そして、Ｓ９に戻る。
【００７２】
尚、図示は省略するが、ＭＦ操作がないまま、単にＲＥＴ−ＳＷ３５がオンになった場合（送り返し信号要求が発生した場合）、レンズＣＰＵ６５は、Ｉ／Ｆ５２経由で、送り返し信号要求の発生を通知するととともに、送り返し映像信号を本体ＣＰＵ７２に送る。本体ＣＰＵ７２は、該要求発生の通知を受信すると、ビューファインダー３６へ出力する映像信号を、映像信号処理回路７１経由の映像信号から、Ｉ／Ｆ５２経由の送り返し映像信号に切り替える。
【００７３】
以上の処理により、撮影者が、フォーカス操作と同時にＲＥＴ−ＳＷ３５をオンにしてフォーカスアシスト要求を発生させると、ズームのテレ側移動および／または絞りの開放で、被写界深度が浅くなる。ＲＥＴ−ＳＷ３５は、ズームデマンド２０など、レンズ装置１２の操作のしやすい場所に元々設けられているため、撮影者は、特別に設けられた操作手段を操作することなく、被写界深度を浅くし、マニュアルフォーカス操作を素早くかつ高精度で行うことができる。
【００７４】
また、フォーカスアシスト要求の発生によって、絞り６４ｄが開放されても、可変ＮＤフィルタ６４ｃの濃度調整により、該開放による露光量の増大が防止され、ビューファインダー３６の映像を見てフォーカシング操作する撮影者に悪影響を与えない。
【００７５】
さらに、誤ってフォーカスアシスト要求を発生させても、ＭＦ操作を行わず所定時間が経過すれば、元の被写界深度に戻るため、撮影の支障は小さい。あるいは、フォーカスアシスト要求を発生させようとして誤って送り返し信号要求が発生しても、ビューファインダー３６にオンエア信号が表示されるだけで、撮影の支障は小さい。
【００７６】
また、ＭＦ操作だけがされた場合（Ｓ２でＹｅｓかつＳ４でＮｏ）は、ズームレンズ群６４ｂや絞り６４ｄと連動しないフォーカス調整が可能である。
【００７７】
＜第２実施形態＞
図４は本発明の第２実施形態に係るテレビカメラシステムを構成するレンズ装置１２０の要部を示す。図示は省略するが、レンズ装置１２０は、レンズ装置１２と同様、ＳＣＩ６８を介して、図１と同様のカメラ本体１４と接続するとともに、ＲＳ−４８５インターフェース１６を介して、フォーカスデマンド２６やズームデマンド２０と接続し、テレビカメラシステムを構成する。
【００７８】
レンズ装置１２０は、第１実施形態の光量調整部５０ではなく、光量調整部５００を有している。それ以外の構成は第１実施形態と同様である。光量調整部５００に備えられるブロックのうち、第１実施形態と同一のものには、同一の符号を付している。
【００７９】
光量調整部５００に備えられるＧＣＡ（ゲインコントロールアンプ）部６７は、上述のフォーカシングアシスト処理の実行時、受光素子６２の出力（ＤＣ信号）を所定のレベルに保つよう、可変ＮＤフィルタ６４ｃの透過率の選択を制御する。
【００８０】
一方、レンズＣＰＵ６５は、絞り６４ｄの開放に連動して、ＬＥＤ６１の発光量を制御する。すなわち、絞り６４ｄの開口径が増大するにつれてＬＥＤ６１の発光量を増大させるよう制御する。ＧＣＡ部６７は、受光素子６２の受光した受光量の増大分に応じ、可変ＮＤフィルタ６４ｃに透過率を減少させる（減光率を増加させる）電圧信号を印加する。これにより、絞り６４ｄの開口径の増大による露光量の増分ΔＥＶが相殺される。このように、本テレビカメラシステムでも、図４のフォーカシングアシスト処理を実施することができ、フォーカス時の絞り開放により撮像素子７０への受光量が増加することなく一定に保たれる。
【００８１】
あるいは、レンズＣＰＵ６５は、ホール素子など公知の絞り位置検出手段にて絞り６４ｄの開放前後の絞り位置（Ｆ値）を検出し、その絞り位置の変化に対応する露光量の増分ΔＥＶを相殺するよう可変ＮＤフィルタ６４ｃの透過率の選択を制御してもよい。
【符号の説明】
【００８２】
１２：レンズ装置、１４：カメラ本体、２６：フォーカスデマンド、３５：ＲＥＴ−ＳＷ、３６：ビューファインダー、６４：撮影レンズ、５０：光量調整部、６５：レンズＣＰＵ、７２：本体ＣＰＵ
【図１】
0005583049.tif 000002
【図２】
0005583049.tif 000003
【図３】
0005583049.tif 000004
【図４】
0005583049.tif 000005